(57)【要約】【課題】  本発明は、簡易に且つ迅速に領収書等の証券書類が発行可能な販売データ処理装置を提供することを課題とする。【解決手段】  顧客から受け取った顧客カードをカード挿入口７に入れ、会員コードを読み出す。この会員コードに対応する顧客情報をキャッシュレジスタ１内のメモリから読み出し、領収書の発行の有無、領収書の宛名等の情報を得て、領収書の発行処理を行なう。これにより、オペレータ、顧客共、従来より手間がかからず領収書の発行を行なうことが出来る。【選択図】      図１
2005038350.tif 000002
【特許請求の範囲】
【請求項１】
顧客が購買した商品情報を入力し、売上代金を決済する販売処理装置において
顧客を一意に識別する会員コードを入力する入力手段と、
証券書類を発行するか否かを示す証券情報を前記会員コードと対応して予め記憶する顧客情報記憶手段と、
前記入力された会員コードと対応する前記証券情報に基づいて、証券書類の発行を行なうか否かを判断する判断手段と、
を備えることを特徴とする販売データ処理装置。
【請求項２】
前記会員コードを入力する入力手段は、可搬記憶媒体から読み出して前記会員コードを受け取ることを特徴とする請求項１に記載の販売データ処理装置。
【請求項３】
前記会員コードを入力する入力手段は、オペレータによるキー入力により前記会員コードを受け取ることを特徴とする請求項１に記載の販売データ処理装置。
【請求項４】
前記顧客情報記憶手段は、前記会員コードに対応して顧客名データを記憶し、前記証券書類に前記顧客名データを印刷して発行することを特徴とする請求項１に記載の販売データ処理装置。
【請求項５】
顧客が購買した商品情報を入力し、売上代金を決済する販売処理装置において
可搬記憶媒体から情報を読み出す読み出し手段と、
前記読み出し手段が読み出した情報に基づいて、証券書類の発行を行なうか否かを判断する判断手段と、
前記判断手段が、前記証券書類の発行を行なうと判断したとき、該証券書類を前記読み出し手段が読み出した情報に基づいて生成する発行手段と、
を備えることを特徴とする販売データ処理装置。
【請求項６】
前記証券書類は、領収書であることを特徴とする請求項１乃至５のいずれか１つに記載の販売データ処理装置。
【請求項７】
顧客が購買した商品情報を入力し、売上代金を決済する販売処理装置内で実行されるプログラムであって、
顧客を一意に識別する会員コードを入力する機能と、
証券書類を発行するか否かを示す証券情報を前記会員コードと対応して予め記憶する機能と、
前記入力された会員コードと対応する前記証券情報に基づいて、証券書類の発行を行なうか否かを判断する機能と
を実現するプログラム。
【発明の詳細な説明】
【技術分野】
【０００１】
本発明は、電子式キャッシュレジスタ等の顧客が購買の為に選択した商品情報を入力し、売上代金を決済する販売処理装置に関し、更に詳しくは、更に詳しくは領収書等の証券書類の発行を行なう機能を備えた販売データ処理装置に関する。
【背景技術】
【０００２】
近年、電子式キャッシュレジスタ（ＥＣＲ）等の販売データ処理装置には、販売した商品の記録を示すレシートの他に領収書等の証券書類を印刷する機能を備えたものが登場してきている。
例えば特許文献１に開示されている販売データ処理装置は、複数の領収書を発行する機能を備えており、顧客から領収書発行の要求があると、販売データ処理装置を操作するオペレータが領収書キーを操作することにより領収書が発行される。
【特許文献１】特開昭５７−２０３１６６号公報（第４頁左下欄第１４行目−第５頁右上欄第３行目）
【発明の開示】
【発明が解決しようとする課題】
【０００３】
しかしながら、従来の販売データ処理装置では、領収書発行の際に、顧客から領収書の発行を要求されたときに、オペレータが領収書キーを操作する必要があった。また、印刷した領収書の宛名欄に顧客の名前を記入しなければならならず、領収書の発行には時間や手間がかかる。
【０００４】
また顧客側にとっては、領収書が必要なことをオペレータに一々告げねばならず、忘れてしまう場合がある。
上記問題点を解決するため、本発明は、簡易に且つ迅速に領収書等の証券書類が発行可能な販売データ処理装置を提供することを課題とする。
【課題を解決するための手段】
【０００５】
本発明による販売データ処理装置は、顧客が購買の為に選択した購入商品を入力し、売上代金を決済する販売処理装置を前提とし、上記課題を解決する為、入力手段、顧客情報記憶手段及び判断手段を備える。
入力手段は、顧客を一意に識別する会員コードを入力する。この入力手段は、例えば可搬記憶媒体から読み出して前記会員コードを受け取り、或いはオペレータによるキー入力により受け取って入力する。
【０００６】
顧客情報記憶手段は、証券書類を発行するか否かを示す証券情報を前記会員コードと対応して予め記憶する。
判断手段は、前記入力された会員コードと対応する前記証券情報に基づいて、証券書類の発行を行なうか否かを判断する。
【０００７】
顧客情報記憶手段は、前記会員コードを含む顧客情報を複数記憶する。
判断手段は、前記会員コード受け取り手段が受け取った会員コードと同じ会員コードを含む前記顧客情報に基づいて、証券書類の発行を行なうか否かを判断する。
また本発明による販売データ処理装置の別形態としては、読み出し手段、判断手段及び発行手段を備える。
【０００８】
読み出し手段は、可搬記憶媒体から情報を読み出す。
判断手段は、前記読み出し手段が読み出した情報に基づいて、証券書類の発行を行なうか否かを判断する。
発行手段は、前記判断手段が、前記証券書類の発行を行なうと判断したとき、該証券書類を前記読み出し手段が読み出した情報に基づいて生成する。
【０００９】
本発明による販売データ処理装置が発行する前記証券書類は、例えば領収書である。
また、本発明は販売処理装置内で実行されるプログラムもその範囲に含む。
本発明によれば、可搬記憶媒体等から受け取った情報を元に、証券書類の発行を行なうか否かが判断することができる。また発行される証券書類もこの情報を元に発行することができる。
【発明の効果】
【００１０】
本発明によれば、簡易に且つ迅速に領収書等の証券書類の発行が可能となる。
また、顧客は従来より手間がかからずに領収書の発行を受けることが出来るので、顧客に対してより良いサービスを提供することが出来る。
【発明を実施するための最良の形態】
【００１１】
以下に本発明の一実施形態を図面を参照しながら説明する。
以下の説明では、本発明による販売処理装置の一実施形態として、レシートの他に領収書を印刷出力することができる電子式キャッシュレジスタを例として説明する。
本実施形態のキャッシュレジスタは、領収書を発行するために必要な情報を各顧客毎に顧客情報として記憶している。そしてレジ処理を行なう時には、顧客から顧客カードを受け取り、この顧客カードに記憶された各顧客を一意に識別する会員コードを読み出し、その会員コードに対応する顧客情報に基づいて領収書の発行処理を行なう。
【００１２】
尚この会員カードは、以下の説明では磁気カードとしているが、ＩＤカード等、可搬可能な記憶媒体であれば何でも良い。また顧客カードは、専用のカードを発行しても、顧客の情報管理に用いている会員カードやポイントサービス等の顧客サービスに用いるカードと兼用しても良い。
【００１３】
図１は、本実施形態におけるキャッシュレジスタの外観を示す斜視図である。
図１のキャッシュレジスタ１は、顧客に向けて支払い金額等を表示する為の表示部２ａ、キャッシュレジスタ１を操作するオペレータに向けて入力した購入商品の商品名等各種の情報を示すための画面を表示する表示部２ｂ、各種の情報をキャッシュレジスタ１に入力するための複数の入力キー３、印刷されたレシートや領収書５が排出される排出部４、金銭を格納するドロアー６及び磁気カード等の顧客カードが挿入されるカード挿入口７を前面に備えている。また購入商品の入力用のバーコード読み取り器を備える構成としても良い。
【００１４】
図２は、図１のキャッシュレジスタの内部構成を示すブロック図である。
同図では、キャッシュレジスタ１は、上記した表示部２（２ａ，２ｂ）の他に、ＣＰＵ１０、印刷部１１、カード読み取り部１２、ＲＯＭ１３、ＲＡＭ１４、入力部１５及びインタフェース（Ｉ／Ｆ）１６を有し、これらがバス１７を介して接続されて相互にデータの授受が行なえる構成となっている。
【００１５】
ＣＰＵ１０は、中央演算処理装置であり、ＲＯＭ１３内の制御プログラムを実行することでキャッシュレジスタ１全体を統合的に制御する。ＲＯＭ１３は、ＣＰＵ１０によって実行される制御プログラム等が記憶されている読み出し専用メモリである。ＲＡＭ１４は、ＣＰＵ１０が作業領域が展開されるランダムアクセスメモリである。またこのＲＡＭ部１４には、複数の顧客に対する顧客情報が記憶されている。この顧客情報については、後に詳細に説明する。
【００１６】
表示部２は、ＣＰＵ１０からの指示に応じて、入力部１５から入力された商品の商品名や金額などを含む画面を表示する。
印刷部１１は、ＣＰＵ１０からの制御指示に基づいて、レシートや領収書を印刷して出力する。
【００１７】
カード読み取り部１２は、会員コード等を記憶した顧客カードから情報を読み取るものである。
入力部１５は、オペレータ等の操作者が金額等の入力を行なう部分で複数の入力キー３やバーコード読み取り器を備えている。そして操作者によって何れかの入力キー３が押下されたりバーコード読み取り器によって商品のバーコードを読み取ると、その押下された入力キー３や読み込んだバーコードに対応するデータをＣＰＵ１０へ通知する。
【００１８】
インタフェース１６は、ネットワークインタフェースで、店舗内のネットワークと接続され、メインコンピュータ等とデータ交換を行なう。
このような構成のキャッシュレジスタ１による一連の動作を以下に説明する。
まず買い物を行なう顧客は、購入する商品を選んだ後、支払いを行なうためにレジに行き、選んだ商品と共に顧客カードをレジのオペレータに渡す。
【００１９】
オペレータは、まず受け取った顧客カードをキャッシュレジスタ１のカード挿入口７から挿入してカード読み取り部１２によって会員コードを読み込ませた後、置数処理を開始する。
そして全ての購入商品の入力が終わり、オペレータが締めキーを押下すると、読み込んだ会員コードに対応する顧客情報に基づいて領収書の発行の有無を判断する。また宛名欄に印刷する顧客名はこの顧客情報の一部として管理されており、領収書を発行する際に宛名書きの印刷は、この顧客情報を用いて行なわれる。
【００２０】
このようにキャッシュレジスタ１内に顧客情報を保持することにより、顧客は一々領収書が必要なことや領収書の宛名書きをオペレータに告げる必要は無い。またオペレータも特別な操作を行なわなくても、キャッシュレジスタ１が自動的に領収書の有無を判断してくれ、また印刷出力された領収書には宛名欄も記入されているので、そのまま顧客に渡せばよい。
【００２１】
図３は、キャッシュレジスタ１のメモリ領域の構成を示す図である。
同図に示した各メモリ領域は、ＣＰＵ１０によってＲＡＭ１４上に設けられるもので、集計メモリ２１、領収メモリ２２及び顧客メモリ２３に大別される。尚同図のメモリ構成は、領収書の発行処理に関わる部分を主に示したものであり、ＲＡＭ１４上にはこの他にも、入力した購入商品の明細を記憶する明細メモリ等のメモリ領域を備える。
【００２２】
集計メモリ２１は、このキャッシュレジスタによって販売した売上の集計値を記憶するメモリ領域で、商品別の集計値を記憶する商品別合計器２１１、商品別の集計値を記憶する商品別合計器２１１、商品の部門別の集計値を記憶する部門別合計器２１２及びそのレジの担当者（オペレータ）別の集計値を記憶する担当者別合計器２１３の３つの領域を備えている。領収メモリ２２は、領収書発行フォームを形成するために必要な情報を記憶するメモリ領域で、領収書に印刷される日付を記憶する日付領域２２１、発行した領収書に付加される通し番号である一連番号を記憶する一連番号領域２２２、レジ担当者名を記憶するレジ担当者領域２２３、領収書の発行者を記憶する発行者領域２２４及び領収書の金額欄に記入される金額を記憶する合計金額領域２２５を備えている。顧客メモリ２３は、領収書発行処理において用いられる各顧客についての顧客情報２３０（２３０−１，２３０−２、・・・）を記憶する記憶領域である。
【００２３】
顧客メモリ２３には、顧客それぞれに対して、顧客情報２３０として各顧客を一意に識別する会員コード、領収書の宛名として用いられる顧客名、その顧客の購入金額の集計値である累計額、領収書を必要とするかどうかを示す領収書フラグ情報をそれぞれ領域２３１，２３２，２３３，２３４に記憶している。また現在使用されている顧客情報２３０であるかどうかを示す顧客カード読み取り中フラグ情報を領域２３５に記憶している。
【００２４】
尚顧客メモリ２３内の顧客情報２３０はキャッシュレジスタ１の立ち上げ時に、ネットワークを介してメインコンピュータからＲＡＭ１４にダウンロードされる構成としても、或いは顧客メモリ２３部分を不揮発性メモリとして構成し、適宜なタイミングで更新する構成としても良い。
【００２５】
ＣＰＵ１０は、領収書発行処理の際、ＲＯＭ１３内の制御プログラムに従って、顧客メモリ２３内の顧客カードから読み出した会員コードと同じ会員コードの顧客情報２３０を用いて領収書発行を行なうか否かの判断や領収書の宛名書き求め、また領収メモリ２２内の情報に基づいて領収書のフォームを生成する。
【００２６】
図４は、顧客カードを読み込む際のキャッシュレジスタ１による動作処理を示すフローチャートである。同図の処理は、ＣＰＵ１０がＲＯＭ１３内の制御プログラムを実行することにより実現される。
図４の処理は、顧客カードがカード挿入口７に挿入されると開始される。
【００２７】
顧客カードが挿入されると、ステップＳ１としてカード読み取り部１２を用いてＣＰＵ１０は、顧客カードから会員コードを読み出す。
次にステップＳ２として、ＣＰＵ１０はステップＳ１で読み出した会員コードに対応する顧客メモリ内の会員コードに対応する顧客情報２３０の領域２３５内の顧客カード読み取り中フラグをセットする。
【００２８】
そしてＣＰＵ１０は、ステップＳ３として、顧客カード読み取り中フラグをセットした顧客情報２３０の顧客名領域２３２に顧客名が記憶されているかどうかを調べる。その結果顧客名が記憶されていれば（ステップＳ３、ＮＯ）、処理を終了する。
ステップＳ３において、顧客名が記憶されていなければ（ステップＳ３、ＹＥＳ）、オペレータは、顧客名及び領収書を発行するかどうかを顧客に尋ねる。そして、オペレータが顧客からの応答に基づいて顧客名及び領収書を必要とするかどうかを入力キー３等によって入力すると、ＣＰＵ１０は、ステップＳ４として顧客名を顧客メモリ２３の顧客名領域２３２に記憶し、また顧客が領収書を必要とする場合には（ステップＳ５、ＹＥＳ）、ステップＳ６として領域２３４内の領収書フラグをセットし、また顧客が領収書を必要としない場合には（ステップＳ５、ＮＯ）、ステップＳ７として領収書フラグをリセットした後処理を終了する。
【００２９】
尚キャッシュレジスタ１が顧客カードの発行機を兼ねている場合には、この図４の処理は、顧客カードの発行時の処理と並列させて行なっても良い。
図５は、領収書の発行処理時におけるキャッシュレジスタ１の動作処理を示すフローチャートである。同図の処理も、ＣＰＵ１０がＲＯＭ１３内の制御プログラムを実行することにより実現される。
【００３０】
同図の処理は、レジ担当者によって入力キー３の１つである締めキーが押下されることによって開始される。
購入商品の登録が終わり、オペレータによって締めキーが押下されると、ステップＳ１１として、ＣＰＵ１０は、入力された購入商品の合計金額を商品別、部内別に求め、集計メモリ２１の商品別合計器２１１及び部内別合計器２１２内の値に累計して記憶する。また全購入商品の合計金額を求め、領収書メモリ２２の合計金額領域２２５にセットすると共に集計メモリ２１の担当差別合計器２１３に累計して記憶する。その後ＣＰＵ１０は、ステップＳ１２として明細メモリの記憶内容等に基づいて印刷部１１にレシートを印字させ、レシートをカットして出力させる（ステップＳ１３）。
【００３１】
次にＣＰＵ１０は、ステップＳ１４として顧客メモリ２３内の顧客情報２３０を探索し、顧客カード読み取り中フラグがセットされているかどうかをチェックする。その結果セットされていなければ(ステップＳ１４、ＮＯ)、ステップＳ１５として次の顧客情報２３０に検索対象を移し、ステップＳ１４の処理を繰り返す。このステップＳ１４，Ｓ１５の処理を繰り返して顧客カード読み取り中フラグがセットされている顧客情報２３０を探す。そして顧客カード読み取り中フラグのチェックの結果、セットされていれば（ステップＳ１４、ＹＥＳ）、その顧客情報２３０を用いて領収書の印刷処理を行なうため、処理をステップＳ１６に移す。
【００３２】
ステップＳ１６において、ＣＰＵ１０は、顧客カード読み取り中フラグがセットされていた顧客情報２３０の領収書フラグがセットされているかどうかを調べる。その結果領収書フラグがセットされていれば（ステップＳ１６、ＹＥＳ）、処理をステップＳ１７に移す。また領収書フラグがセットされていなければ（ステップＳ１６、ＮＯ）、ステップＳ２１としてＣＰＵ１０は、表示部２ｂに「領収書が必要か尋ねる」等のガイダンスをオペレータに対して表示し、ステップＳ２２，Ｓ２３において入力キー３による領収書発行指定の入力待ち状態となる。そして一定期間経過しても領収書発行指定がなければ（ステップＳ２３、ＹＥＳ）、領収書の発行は行なわないのでステップＳ２５に処理を移す。
【００３３】
また領収書発行指定の入力待ち状態状態（ステップＳ２２、ＮＯ：ステップＳ２３，ＹＥＳ）において、オペレータから入力キー３等による領収書発行指定の入力があると（ステップＳ２２、ＹＥＳ）、ステップＳ２４として顧客カード読み取り中フラグがセットされている顧客情報２３０の領域２３４内の領収書フラグをセットして処理をステップＳ１７に移す。
【００３４】
ステップＳ１７において、領収書印刷処理のために、ＣＰＵ１０は領収書を印刷するための領収書フォームの受け取り欄に顧客情報２３０内の領域２３２内の顧客名を設定し、またステップＳ１８として領収書フォームの日付欄、合計金額欄、発行人欄に領収メモリ２２内の領域２２１、２２２、２２３内の各データを設定する。この際に、顧客名は、顧客カード読み取りフラグがセットされており、顧客情報２３０内の領収書フラグがセットされている顧客情報から読み出される。そして領収書フォームが完成するとＣＰＵ１０は、ステップＳ１９として印刷部１１によって領収書を印刷させ、ステップＳ２０として印刷された領収書をカットして出力する。
【００３５】
その後、ステップＳ２５として、領収メモリ２２内の合計金額を顧客メモリ２３の累計額領域２３３内の値に累計して記憶した後、領域２２５内の合計金額の値をクリアする（ステップＳ２６）。そしてセットされている顧客カード読み取り中フラグ２３５をリセットし（ステップＳ２７）、ステップＳ２８として一連番号を更新後、処理を終了する。
【００３６】
図６は、本実施形態におけるキャッシュレジスタ１で発行される領収書の例を示す図である。
同図に示す領収書３０では、宛名欄３１には、顧客メモリ２３内の顧客情報に基づいて顧客の名前［山田△△］がその発行時に印刷される。また金額欄、発行元、日付、一連番号及び担当者名もそれぞれ、欄３２、３３、３４及び３５に印刷されている。
【００３７】
よってオペレータは、キャッシュレジスタ１から印刷出力された領収書３０を、宛名書きを行なわずにそのまま渡すことが出来、手間がかからない。また顧客から口答で宛名を聞いてオペレータが領収書に記入するのとは異なり、宛名書きを間違えることはない。
尚、上記例では顧客から受け取った顧客カードから会員コードを読み取っていたが、オペレータが入力キー３等を用いて会員コードを入力する構成としても良い。
【００３８】
また、顧客情報２３０をキャッシュレジスタ１内に記憶して、会員コードを元にして対応する顧客情報を探して、領収書の発行を行なっていたが、顧客メモリ２３内に記憶されていた顧客情報２３０の内少なくとも顧客名を顧客カード内に記憶し、これらをカードから読み出して領収書の発行処理に用いる構成としても良い。
【００３９】
更に領収書を印刷物として発行していたが、電子データの形で発行しても良い。
また上記実施形態の説明では、顧客が商品をレジに持ってくる形式の店を例として示したが、本実施形態におけるキャッシュレジスタは、飲食店等、商品でなく伝票をレジに持ってきて精算する形式の店においても使用可能であることは言うまでもない。
【図面の簡単な説明】
【００４０】
【図１】本実施形態におけるキャッシュレジスタの外観を示す斜視図である。
【図２】キャッシュレジスタの内部構成を示すブロック図である。
【図３】メモリ領域の構成を示す図である。
【図４】顧客カードを読み込む際のキャッシュレジスタによる動作処理を示すフローチャートである。
【図５】領収書の発行処理時におけるキャッシュレジスタの動作処理を示すフローチャートである。
【図６】本実施形態におけるキャッシュレジスタで発行される領収書の例を示す図である。
【符号の説明】
【００４１】
１          キャッシュレジスタ
２ａ，２ｂ  表示部
３          入力キー
４          排出部
５          レシート
６          ドロアー
７          カード挿入口
１０        ＣＰＵ
１１        印刷部
１２        カード読み取り部
１３        ＲＯＭ
１４        ＲＡＭ
１５        入力部
１６        インタフェース
１７        バス
【図１】
2005038350.tif 000003
【図２】
2005038350.tif 000004
【図３】
2005038350.tif 000005
【図４】
2005038350.tif 000006
【図５】
2005038350.tif 000007
【図６】
2005038350.tif 000008